(57)【要約】  可動に支持された家具部分（３）を、家具本体（２）に対して相対的に、閉じた終端位置に引き込む家具用駆動装置（１３）であり、家具用駆動装置（１３）は、可動の家具部分（３）を引き込む連行体（１４）であって、直線の移動経路（３１ａ）に沿って少なくとも部分的に移動可能に支持されており、可動の家具部分（３）と取り外し可能に連結可能である、連行体（１４）と、引込み方向（２２）に連行体（１４）に力を加えるばね装置（１７）と、引込み方向（２２）での連行体（１４）の移動を減衰する減衰装置（１９）であって、流体チャンバ（２０）と、流体チャンバ（２０）に対して相対的にスライド可能に支持された押圧ロッド（２１）とを有する、減衰装置（１９）と、押圧ロッド（２１）と連行体（１４）との間に配置された保持装置（１６）であって、押圧ロッド（２１）を連行体（１４）に対して相対的に保持する、保持装置（１６）と、を備え、連行体（１４）に所定よりも上回る力が引込み方向（２２）に作用するときに、押圧ロッド（２１）は保持装置（１６）の開口（２４）を越えて移動可能であり、これにより連行体（１４）は押圧ロッド（２１）から分離可能である。
2019510578.tif 000002
【特許請求の範囲】
【請求項１】
可動に支持された家具部分（３）を、家具本体（２）に対して相対的に、閉じた終端位置に引き込む家具用駆動装置（１３）であって、
可動の前記家具部分（３）を引き込む連行体（１４）であって、該連行体（１４）は、直線の移動経路（３１ａ）に沿って少なくとも部分的に移動可能に支持されており、可動の前記家具部分（３）と取り外し可能に連結可能である、連行体（１４）と、
引込み方向（２２）に前記連行体（１４）に力を加えるばね装置（１７）と、
引込み方向（２２）での前記連行体（１４）の移動を減衰する減衰装置（１９）であって、流体チャンバ（２０）と、該流体チャンバ（２０）に対して相対的にスライド可能に支持された押圧ロッド（２１）とを有する、減衰装置（１９）と、
前記押圧ロッド（２１）と前記連行体（１４）との間に配置された保持装置（１６）であって、前記押圧ロッド（２１）を前記連行体（１４）に対して相対的に保持する、保持装置（１６）と、
を備える、家具用駆動装置（１３）において、
前記押圧ロッド（２１）は、前記連行体（１４）に所定よりも上回る力が引込み方向（２２）に作用するときに前記保持装置（１６）の開口（２４）を越えて移動可能であり、これにより前記連行体（１４）は、前記押圧ロッド（２１）から分離可能であることを特徴とする、家具用駆動装置（１３）。
【請求項２】
前記押圧ロッド（２１）は、前記連行体（１４）に所定よりも上回る力が引込み方向（２２）とは逆向きに作用するときに前記保持装置（１６）の別の開口（２５）を越えて移動可能であり、これにより前記連行体（１４）は、前記押圧ロッド（２１）から分離可能であることを特徴とする、請求項１記載の家具用駆動装置。
【請求項３】
前記保持装置（１６）は、少なくとも１つの保持要素（２８ａ）を有し、該保持要素（２８ａ）は、前記押圧ロッド（２１）を、前記連行体（１４）に所定よりも下回る力が作用するときに前記保持装置（１６）に対して相対的に保持し、前記保持要素（２８ａ）は、前記連行体（１４）に所定よりも上回る力が作用するときに前記連行体（１４）に対して相対的な前記押圧ロッド（２１）の障害のない並進移動を可能にすることを特徴とする、請求項１または２記載の家具用駆動装置。
【請求項４】
少なくとも１つの前記保持要素（２８ａ）に、蓄力部材（３０）によって力が加えられていることを特徴とする、請求項３記載の家具用駆動装置。
【請求項５】
前記蓄力部材（３０）は、機械的なばね要素または前記保持要素（２８ａ）の固有弾性により形成されていることを特徴とする、請求項４記載の家具用駆動装置。
【請求項６】
少なくとも１つの前記保持要素（２８ａ）は、前記連行体（１４）に所定よりも上回る力が作用するときに前記押圧ロッド（２１）の長手方向に対して横向きに延在する方向に変形可能にまたは撓曲可能に構成されており、これにより前記連行体（１４）は、前記押圧ロッド（２１）から分離可能であることを特徴とする、請求項３から５までのいずれか１項記載の家具用駆動装置。
【請求項７】
前記保持装置（１６）は、前記押圧ロッド（２１）を保持する少なくとも２つの保持要素（２８ａ，２８ｂ）を有することを特徴とする、請求項３から６までのいずれか１項記載の家具用駆動装置。
【請求項８】
前記保持装置（１６）は、枢着軸（１５）を介して前記連行体（１４）と旋回可能に結合されていることを特徴とする、請求項１から７までのいずれか１項記載の家具用駆動装置。
【請求項９】
前記保持装置（１６）は、少なくとも１つの退避溝（２７）を有しており、前記連行体（１４）に所定よりも上回る力が作用するときに、前記押圧ロッド（２１）が前記退避溝（２７）に進入可能であることを特徴とする、請求項１から８までのいずれか１項記載の家具用駆動装置。
【請求項１０】
前記退避溝（２７）は、前記押圧ロッド（２１）の長手方向に対して同軸に延在する長手方向を有することを特徴とする、請求項９記載の家具用駆動装置。
【請求項１１】
前記押圧ロッド（２１）は、連結部材（２９）が配置されたまたは形成された自由端部領域を有し、前記連結部材（２９）は、前記連行体（１４）に所定よりも下回る力が作用するときに前記保持装置（１６）の収容チャンバ（２６）に保持されることを特徴とする、請求項１から１０までのいずれか１項記載の家具用駆動装置。
【請求項１２】
前記家具用駆動装置（１３）は、少なくとも１つのガイド（１８ａ）を有するハウジング（１８）を備え、前記保持装置（１６）は、前記ガイド（１８ａ）に沿って前記ハウジング（１８）に対して相対的にスライド可能に支持されていることを特徴とする、請求項１から１１までのいずれか１項記載の家具用駆動装置。
【請求項１３】
前記保持装置（１６）は、少なくとも１つのガイド要素（３３）を有し、該ガイド要素（３３）は、前記ハウジング（１８）の前記ガイド（１８ａ）に沿ってスライド可能に支持されていることを特徴とする、請求項１２記載の家具用駆動装置。
【請求項１４】
前記減衰装置（１９）は、前記流体チャンバ（２０）に対して相対的にスライド可能に支持された連結ロッドを有し、該連結ロッドにより前記押圧ロッド（２１）が形成されていることを特徴とする、請求項１から１３までのいずれか１項記載の家具用駆動装置。
【請求項１５】
家具本体（２）に取り付けられるべき本体レール（９）と、該本体レール（９）に対して相対的に閉鎖位置と開放位置との間を移動可能に支持された少なくとも１つの引出しレール（１０）と、該引出しレール（１０）を閉鎖位置に引き込む、請求項１から１４までのいずれか１項記載の家具用駆動装置（１３）と、を備える、引出し用引出しガイド（４）。
【発明の詳細な説明】
【技術分野】
【０００１】
本発明は、可動に支持された家具部分を、家具本体に対して相対的に、閉じた終端位置に引き込む家具用駆動装置であって、
可動の家具部分を引き込む連行体であって、直線の移動経路に沿って少なくとも部分的に移動可能に支持されており、可動の家具部分と取り外し可能に連結可能である、連行体と、
引込み方向に連行体に力を加えるばね装置と、
引込み方向での連行体の移動を減衰する減衰装置であって、流体チャンバと、流体チャンバに対して相対的にスライド可能に支持された押圧ロッドとを有する、減衰装置と、
押圧ロッドと連行体との間に配置された保持装置であって、押圧ロッドを連行体に対して相対的に保持する、保持装置と、
を備える、家具用駆動装置に関する。
【０００２】
さらに、本発明は、説明されるべきこの種の家具用駆動装置を備える引出し用引出しガイドに関する。
【背景技術】
【０００３】
独国実用新案第２０２００５００９８６０号明細書は、引出し用の閉鎖兼引出し装置が開示されており、この閉鎖兼引出し装置では、引出しと連結可能な連行体が、連結ロッドのボールヘッドと取り外し可能に連結されている。連結ロッドのボールヘッドは、連行体の収容部に係合し、その際、連行体の収容部は、引出しに及ぼされる引張り力が作用するときに弾性に拡開し、ひいてはボールヘッドを過負荷時に解放する。この過負荷防止クラッチに対しては、もちろん十分なスペースが提供されている。というのも、連行体が、引出しに過剰な引張り運動が及ぼされるときに引出し方向に移動し、したがって連行体と連結ロッドとの間の距離が増大するからである。
【発明の概要】
【発明が解決しようとする課題】
【０００４】
本発明の課題は、過負荷時に家具用駆動装置、特に減衰装置の破損を阻止することができる、冒頭で述べた構成の家具用駆動装置を提案することである。
【課題を解決するための手段】
【０００５】
この課題は、本発明によれば、請求項１の特徴部に記載の構成によって解決される。本発明の好適な形態は、従属請求項に記述されている。
【０００６】
本発明によれば、押圧ロッドは、連行体に所定よりも上回る力が引込み方向に作用するときに保持装置の開口を越えて移動可能であり、これにより連行体は、押圧ロッドから分離可能である。
【０００７】
換言すると、保持装置は、直線的に動作する過負荷防止クラッチとして構成されており、この過負荷防止クラッチは、連行体に所定よりも上回る力が引込み方向に作用するときに（可動の家具部分が手動による過剰な力でまたは力ずくで閉鎖位置に付勢されるときに）連行体と押圧ロッドとの間の分離が引き起こされるので、押圧ロッドは、連行体にそのような過剰な力が作用するときに保持装置の開口を越えて移動し、連行体に対して相対的な、押圧ロッドの継続的で障害のない並進移動が行われる。したがって、家具本体に進入する連行体による破損（特に減衰器ハウジングの破裂および過剰な力が加えられることに基づく減衰媒体の流出）を阻止することができる。
【０００８】
好適には、押圧ロッドは、連行体に所定よりも上回る力が引込み方向とは逆向きに作用するときに保持装置の別の開口を越えて移動可能であり、これにより連行体は、押圧ロッドから分離可能である。換言すると、連行体の引込み方向および引出し方向に過負荷が作用する場合、連行体からの押圧ロッドの分離が生じる。
【０００９】
保持装置は、少なくとも１つの保持要素を有し、保持要素は、押圧ロッドを、連行体に所定よりも下回る力が作用するときに保持装置に対して相対的に保持し、保持要素は、連行体に所定よりも上回る力が引込み方向に作用するときに、連行体に対して相対的な押圧ロッドの障害のない並進移動を可能にする。少なくとも１つの保持要素が、蓄力部材により力が加えられていることが規定されていてよい。この蓄力部材は、例えば機械的なばね要素により形成されてよく、または択一的に保持要素の固有弾性により形成されてもよい。
【００１０】
本発明に係る引出し用引出しガイドは、家具本体に取り付けられるべき本体レールと、本体レールに対して相対的に閉鎖位置と開放位置との間を移動可能に支持された少なくとも１つの引出しレールと、引出しレールを閉鎖位置に引き込む、言及された家具用駆動装置と、を備える。
【００１１】
本発明のさらなる詳細および利点を、以下の図面に関する記述に基づいて説明する。
【図面の簡単な説明】
【００１２】
【図１】家具本体とこれに対して相対移動可能に支持された引出しとを有する家具の斜視図を示す。
【図２】家具用駆動装置の１つの実施形態を分解図で示す。
【図３】図３ａは、家具用駆動装置の側面図を示し、図３ｂは、斜視図を示す。
【図４】図４ａは、家具用駆動装置の側面図を示し、押圧ロッドは、連行体に所定よりも上回る力が引込み方向に作用するときに連行体から分離可能であり、図４ｂは、これに関する拡大図を示す。
【図５】図５ａは、家具用駆動装置の側面図を示し、押圧ロッドは、連行体に所定よりも上回る力が引込み方向とは逆向きに作用するときに連行体から分離可能であり、図５ｂは、これに関する拡大図を示す。
【発明を実施するための形態】
【００１３】
図１は、キャビネット状の家具本体２を有する家具１を示している。この家具１では、引出しの形態の可動の家具部分３が、引出し用引出しガイド４を介して、家具本体２に対して可動に支持されている。引出しは、前板５と引出し底板６と引出し側板７と背板８とをそれぞれ有する。引出し用引出しガイド４は、取付け区分１２ａ，１２ｂを介して家具本体２に取り付けられるべき本体レール９と、本体レール９に対して相対的にスライド可能に支持された、引出し側板７と結合されるべき少なくとも１つの引出しレール１０と、場合により、引出しの完全な引出しを実現するために本体レール９と引出しレール１０との間を移動可能に支持された中間レール１１とをそれぞれ有する。さらに引出し用引出しガイド４は、家具用駆動装置１３を有し、家具用駆動装置１３によって、引出しレール１０は、ばね装置１７の力により閉鎖運動の終端部付近に引き込まれ（図２）、その際、ばね支持された引込み運動が、家具用駆動装置１３の減衰装置１９により制動される。
【００１４】
図２は、家具用駆動装置１３の１つの実施形態を分解図で示している。家具用駆動装置１３は、ハウジング１８を有しており、可動の家具部分３と取り外し可能に連結するための、枢着軸１５を中心に旋回可能な連行体１４が、ハウジング１８の長手方向（Ｌ）に延在する直線の移動経路３１ａ（図３ａ）に沿ってスライド可能に支持されている。引込み方向２２に連行体１４に力を加えるために、ばね装置１７（好適には少なくとも１つの引張りばねを有する）が設けられており、ばね装置１７により、連行体１４またはこれと連結された可動の家具部分３を、引込み方向２２に引込み可能である。ばね装置１７は、第１の取付け部１７ａを有し、取付け部１７ａは、取付け位置で、定位置の支持部２３と結合されており、ばね装置１７の第２の取付け部１７ｂは、保持装置１６の支持部材１６ｂと結合されており、保持装置１６は、枢着軸１５を介して連行体１４と結合されている。保持装置１６は、少なくとも１つのガイド要素３３を有し、ガイド要素３３により、保持装置１６は、連行体１４とともに、ハウジング１８に対して相対的にガイド軌道１８ａに沿ってスライド可能に支持されている。引込み方向２２での連行体１４の、ばね支持された引込み運動を減衰するために、流体チャンバ２０と、これに対して相対移動可能の、連結ロッドの形態の押圧ロッド２１とを有する、リニアダンパの形態の減衰装置１９が設けられている。流体チャンバ２０は流体シリンダ内に形成されており、流体シリンダは、取付け位置で、その１つの端部でもって同様に支持部２３と結合されている。押圧ロッド２１と連行体１４との間に配置された保持装置１６は、連行体１４に対して相対的に押圧ロッド２１を取り外し可能に保持するように設けられているので、押圧ロッド２１は、連行体１４に所定よりも上回る力が引込み方向２２に作用するときに保持装置１６の開口２４を越えて移動可能であり、そうして連行体１４は、押圧ロッド２１から分離可能である。
【００１５】
保持装置１６は、この示された図面では、２つの保持要素２８ａ，２８ｂを有しており、保持要素２８ａ，２８ｂは、押圧ロッド２１の連結部材２９を収容する収容チャンバ２６を画定する。蓄力部材３０は、図示の実施形態では、両方の保持要素２８ａ，２８ｂを取り囲む、ばね鋼から成るばねクランプとして構成されており、蓄力部材３０を介して、押圧ロッド２１の連結部材２９は、収容チャンバ２６内において位置保持される。押圧ロッド２１に配置されたまたは形成された連結部材２９は、押圧ロッド２１よりも大きな直径を有しており、連結部材２９は、通常動作では（つまり連行体１４に所定よりも下回る力が作用するときに）保持装置１６のこの収容チャンバ２６内に保持されており、ひいては保持装置１６と押圧ロッド２１との間の連結が保証されている。連行体１４に所定よりも上回る力が引込み方向２２に作用すると、押圧ロッド２１の連結部材２９は、保持装置１６の開口２４を越えて移動することができるので、連行体１４は、押圧ロッド２１から分離可能である。図示の実施形態では、連結部材２９は、連行体１４に所定よりも上回る力が引込み方向２２に作用するときに保持装置１６の退避溝２７に進入する。退避溝２７の長手方向は、押圧ロッド２１の長手方向に対して同軸に延在する。この退避溝２７は、もちろん、必ずしも必要ではなく、これは、例えば押圧ロッド２１の連結部材２９が収容チャンバ２６を起点として収容チャンバ２６の側に設けられた自由空間に進入することができれば十分である。
【００１６】
これに対して、連行体１４に所定よりも上回る力が引込み方向２２とは逆向きに作用すると、押圧ロッド２１の連結部材２９は、保持装置１６の別の開口２５を越えて移動することができるので、連行体１４は、押圧ロッド２１から分離可能である。この引込み方向２２とは逆向きに作用する過負荷時（つまり開放方向での可動の家具部分３に対する過剰な引張り運動時）、連結部材２９は、収容チャンバ２６から外方へ、収容チャンバ２６の側に存在する自由空間に移動し、そこで保持装置１６に対するその間隔を拡大する。可動の家具部分３の運動により、連行体１４と押圧ロッド２１とは、再び接近し合う方向に移動することができるので、押圧ロッド２１は、再び収容チャンバ２６に進入し、押圧ロッド２１と保持装置１６との間の連結が再び形成される。
【００１７】
図３ａは、家具用駆動装置１３を側面図で示しており、この図３ａでは、ハウジング１８内に支持された連行体１４は、破線で示されている。ハウジング１８は、連行体１４を移動可能に支持するための直線の移動経路３１ａを有しており、直線の移動経路３１ａに変向部３１ｂが続き、変向部３１ｂは、プリロードの掛けられた休止位置で連行体１４を取り外し可能にロックするために設けられている。つまり、連行体１４は、ばね装置１７が圧縮されている図示の休止位置と、ばね装置１７がほぼ弛緩されている、引き込まれた終端位置との間を、直線の移動経路３１ａに沿って移動可能に支持されている。連行体１４は、ガイドピン１４ａを有しており、ガイドピン１４ａにより、連行体１４は、変向部３１ｂに沿って、かつ直線の移動経路３１ａに沿ってスライド可能に案内されている。さらに、可動の家具部分３と取り外し可能に連結するために、連行体１４に切込み３２が設けられており、切込み３２は、可動の家具部分３に配置された連結ピンと取り外し可能に連結可能である。可動の家具部分３の閉鎖運動の終端部付近で、この連結ピンは切込み３２に進入するので、連行体１４は、図示の休止位置から外へ傾動し、弛緩するばね装置１７の力によって引込み方向２２に引き込まれる。連行体１４は、枢着軸１５を介して保持装置１６と旋回可能に結合されており、保持装置１６に配置されたガイド要素３３は、ハウジング１８のガイド１８ａに沿ってスライド可能に支持されている。このばね支持された引込み運動を減衰するために、減衰装置１９に流体チャンバ２０が設けられており、押圧ロッド２１は、引込み方向２２に連行体１４が移動するときに流体チャンバ２０に進入し、連行体１４の移動は、流体チャンバ２０に存在する減衰流体によって制動される。連行体１４に所定よりも上回る力が引込み方向２２に作用すると、押圧ロッド２１は、開口２４（図２）を越えて移動し、退避溝２７に進入することができるので、連行体１４は、押圧ロッド２１から分離される。連行体１４に所定よりも上回る力が引込み方向２２とは逆向きに作用すると、押圧ロッド２１の連結部材２９は、保持装置１６の別の開口２５（図２）を越えて移動するので、連行体１４は、可動の家具部分３に過剰な引張り力が作用するときに同様に押圧ロッド２１から分離可能である。図３ｂは、図３ａに示した家具用駆動装置１３を斜視図で示している。
【００１８】
図４ａは、家具用駆動装置１３を側面図で示しており、ここでは、押圧ロッド２１は、連行体１４に所定よりも上回る力が引込み方向２２に作用することにより、連行体１４から分離されている。連行体１４に引込み方向２２にこの過剰な力が作用することにより、つまり押圧ロッド２１の連結部材２９が収容チャンバ２６を起点として開口２４を越えて保持装置１６の退避溝２７に押し込まれたことにより、連行体１４は、押圧ロッド２１と流体チャンバ２０との間のさらなる相対移動なくさらに引込み方向２２に移動可能である。可動の家具部分３に加えられる手動の引張り運動により、押圧ロッド２１の連結部材２９は、再び保持装置１６の収容チャンバ２６と連結することができる。図４ｂは、図４ａにおいて丸で囲まれた領域を拡大図で示している。
【００１９】
図５ａは、家具用駆動装置１３を側面図で示しており、ここでは、押圧ロッド２１は、連行体１４に所定よりも上回る力が引込み方向２２とは逆向きに作用することにより、連行体１４から分離されている。連行体１４に引込み方向２２とは逆向きに過剰な力が作用することにより、つまり押圧ロッド２１の連結部材２９が収容チャンバ２６を起点として別の開口２５を越えて収容チャンバ２６の側に存在する自由空間に移動されたことにより、連行体１４は、押圧ロッド２１と流体チャンバ２０との間のさらなる相対移動なく、さらに引込み方向２２とは逆向きに（つまり休止位置の方向に）移動可能である。可動の家具部分３に手動による押圧力が作用することにより、押圧ロッド２１の連結部材２９は、保持装置１６の収容チャンバ２６と再び連結することができる。図５ｂは、図面５ａにおいて丸で囲まれた領域を拡大図で示している。
【００２０】
図示の実施形態では、両方の保持要素２８ａ，２８ｂは、蓄力部材３０により力が加えられる。この蓄力部材３０は、機械的なばね要素によって形成されていてもよいし、保持要素２８ａ，２８ｂの固有弾性によって形成されていてもよい。保持要素２８ａ，２８ｂは、連行体１４に所定よりも上回る力が作用するときに押圧ロッド２１の長手方向に対して横向きに延在する方向に変形可能にまたは撓曲可能に構成されているので、連行体１４は、押圧ロッド２１から分離可能である。連結部材２９の方向での保持要素２８ａ，２８ｂの弾性的なプリロードを調整可能に構成することも可能である。このことは、例えば（ここでは図示していない）調整ねじを介して行うことが可能であり、この場合、調整ねじの回動により、蓄力部材３０のプリロードひいては保持要素２８ａ，２８ｂの作動力を調整可能である。
【００２１】
図示の実施形態では、減衰装置１９は、流体チャンバ２０に対して相対的にスライド可能に支持された連結ロッドを有しており、押圧ロッド２１は、連結ロッドにより形成されている。運動力学的に逆に、連結ロッドの自由端部を組付け位置に固定に支持することも可能であるので、減衰ストロークを実施するために、流体チャンバ２０（つまり減衰シリンダ）は、定位置の連結ロッドに対して相対的にスライド可能である。この場合、押圧ロッド２１は、減衰シリンダにより形成される。
【図１】
2019510578.tif 000003
【図２】
2019510578.tif 000004
【図３ａ】
2019510578.tif 000005
【図３ｂ】
2019510578.tif 000006
【図４ａ】
2019510578.tif 000007
【図４ｂ】
2019510578.tif 000008
【図５ａ】
2019510578.tif 000009
【図５ｂ】
2019510578.tif 000010
【国際調査報告】
2019510578.tif 000011
2019510578.tif 000012
2019510578.tif 000013
2019510578.tif 000014